(57)【特許請求の範囲】
【請求項１】
建物(１)の室内(２)の少なくとも一部に調湿室(３)を設け、この調湿室(３)に調湿板(４)を臨ませて設け、この調湿板(４)は調湿室(３)内の空気中の水分を湿度差により吸収・放出する呼吸式湿度調整機能を有する調湿物質で板状に形成して成る、
建物室内空気の呼吸式湿度調整用調湿壁において、
複数枚の調湿板(４)…同士を互いに通気用空間(５)を空けてその板厚の方向に多重に並列させ、この通気用空間(５)は通気路(６)を介して調湿室(３)に連通させ、
前記板厚方向に多重に並列する複数枚の調湿板(４)…のうち、前記通気用空間(５)よりも調湿室(３)に近い側に位置する調湿板(４)には複数個の通気孔(７)…を空け、この通気孔(７)…で前記通気路(６)を構成し、この通気孔(７)…は調湿室(３)内の空気が通気用空間(５)に自由に出入りするように構成した、  ことを特徴とする建物室内空気の呼吸式湿度調整用調湿壁。
【請求項２】
建物(１)の室内(２)の調湿室(３)内の空気中の水分を湿度差により吸収・放出する用途に用いるための呼吸式湿度調整用調湿壁であって、
その空気中の水分を吸収・放出する機能を有する物質で板状に形成した調湿板(４)を備えて成る、  建物室内空気の呼吸式湿度調整用調湿壁において、
複数枚の調湿板(４)…同士を互いに通気用空間(５)を空けてその板厚の方向に多重に並列させ、この通気用空間(５)は通気路(６)を介して調湿板(４)の外側空間に連通させ、
前記板厚方向に多重に並列する複数枚の調湿板(４)…のうち、前記通気用空間(５)よりも調湿室(３)に近い側に位置する調湿板(４)には複数個の通気孔(７)…を空け、この通気孔(７)…で前記通気路(６)を構成した、  ことを特徴とする建物室内空気の呼吸式湿度調整用調湿壁。
【請求項３】
請求項１または２に記載の建物室内空気の呼吸式湿度調整用調湿壁において、
前記通気用空間(５)にハニカムコア(10)を収容し、このハニカムコア(10)にこれの前後に位置する両調湿板(４)(４)を接当させた、  ことを特徴とするもの。
【請求項４】
請求項３に記載の建物室内空気の呼吸式湿度調整用調湿壁において、
前記ハニカムコア(10)をこれに接当する両調湿板(４)(４)に接着手段(11)で接着させた、  ことを特徴とするもの。
【請求項５】
請求項３または４に記載の建物室内空気の呼吸式湿度調整用調湿壁において、
ハニカムコア(10)のコア構成板(12)に連通孔(13)を空け、この連通孔(13)でハニカムコア(10)の各コア室(14)…のうちの隣り合うコア室(14)(14)同士を連通させた、  ことを特徴とするもの。
【発明の詳細な説明】
【０００１】
【発明の属する技術分野】
本発明は、建物の室内に形成した調湿室内の空気中の水分を、湿度差により吸収・放出する呼吸式湿度調整機能を有する、建物室内空気の呼吸式湿度調整用調湿壁に関する。
ここで言う建物としては、鉄鋼業・製紙業・繊維業・酒造業・薬品業・印刷業・またはその他の各種製造業において、材料・製品の保管倉庫または加工工場、あるいは、コンサートホール・博物館または美術館などを対象としている。
【０００２】
【前提構成】
本発明の建物室内空気の呼吸式湿度調整用調湿壁は、例えば図２に示すように、次の前提構成を有するものを対象とする。
図２は本発明が対象とする建物の室内の調湿室を示す。図２（Ａ）は建物内に調湿室を２室形成した場合の対象例１を示す建物の縦断正面図、図２（Ｂ）は図２（Ａ）のＢ−Ｂ線断面図である。図２（Ｃ）は建物内に調湿室を４室形成した場合の対象例２を示す建物の縦断正面図、図２（Ｄ）は図２（Ｃ）のＤ−Ｄ線断面図である。
【０００３】
建物(１)の室内(２)の少なくとも一部に調湿室(３)を設ける。この調湿室(３)に調湿板(４)を臨ませて設ける。この調湿板(４)は調湿室(３)内の空気中の水分を湿度差により吸収・放出する呼吸式湿度調整機能を有する調湿物質で板状に形成して成る。
この調湿物質としては、例えばゼオライト、珪藻土、または石膏、或いはこれらの複合物などがある。
【０００４】
【従来の技術】
上記前提構成において、調湿板(４)の具体的な構成として、従来技術では図８に示すものがある。（特開２０００−２８２５９３号公報）
図８は従来技術を示す調湿壁の要部の縦断左側面図である。
【０００５】
この図８において、符号(３)は調湿室、(４)は調湿板（調湿石膏ボード）、(51)は調湿セラミックタイル、(52)は透湿接着剤層、(53)は型鋼製枠材、(54)はコンクリート製の外壁材、(55)は湿気排出用の通気空間である。この湿気排出用の通気空間(55)は調湿板(４)で調湿室(３)から遮断されている。
【０００６】
調湿板(４)はその板厚方向には１枚だけ設けられている。この調湿板(４)の表面が調湿室(３)に臨んでいる。この調湿板(４)の表面に調湿セラミックタイル(51)が接着されているものである。
【０００７】
【発明が解決しようとする課題】
上記従来技術では、次の問題がある。
［  イ．  調湿板(４)が空気中の水分を吸収していく実効面積が狭いため、調湿室(３)内で収容物体が搬入されてから充分低湿度に除湿されるに至るまでの除湿進行期間中において、高湿度空気中の水分の吸収速度が遅くなり、高湿度空気中の水分による収容物体への結露発生の防止性能を充分に高めることができず、収容物体が結露水で損傷されることを強力に防止することができない。  ］
【０００８】
建物(１)の室内(２)の調湿室(３)に室外から収容物体が搬入されたときに、室外の高湿度の空気が調湿室(３)内に流れ込むため、この調湿室(３)内の空気の湿度が高くなる。この空気中の湿度は、時間の経過とともに調湿板(４)に吸収されて、やがては調湿室(３)内が充分低湿度に自動的に調湿される。この調湿室(３)内において、充分低湿度に調湿された後は、前記収容物体は結露しないように保たれて、結露による損傷が防がれる。
【０００９】
調湿室(３)内で、収容物体が搬入されてから充分低湿度に除湿されるに至るまでの除湿進行期間の過渡期において、その除湿進行速度が遅い場合には、空気中の高湿度の水分が収容物体に付着・堆積して結露が生じる。この結露水は、収容物体を濡らして、収容物体に発錆・変質などの損傷を与えることがある。
【００１０】
この従来技術では、調湿板(４)の空気中水分吸収の実効面積は、この調湿板(４)および調湿セラミックタイル(51)の表面の１つの面のみに限られた狭いものとなっている。
【００１１】
このように、調湿板(４)が空気中の水分を吸収していく実効面積が狭いため、調湿室(３)内で収容物体が搬入されてから充分低湿度に除湿されるに至るまでの除湿進行期間中において、高湿度空気中の水分の吸収速度が遅くなり、この高湿度空気中の水分による収容物体への結露発生の防止性能を充分に高めることができず、収容物体が結露水で損傷されることを強力に防止することができない。
【００１２】
本発明の課題は、次のようにすることにある。
（イ）．調湿板の空気中水分吸収の実効面積を格段に増大させることにより、調湿室内での除湿進行期間中に、高湿度空気中の水分の吸収速度を格段に速くして、この高湿度空気中の水分による収容物体への結露発生の防止性能を格段に高めて、収容物体が結露水で損傷されることを強力に防止する。
【００１３】
（ロ）．通気孔を工場で自動的に空けておくことにより、建物室内で調湿室を作って行くときに、通気路を新たに作り出す手間を省略して、調湿室の施工作業を簡素化・高能率化する。
【００１４】
（ニ）．調湿壁全体としての曲げ強度は、調湿板の多重並列枚数と同じ数の倍数となる大きな値に増大させて、大幅に強化させる。
（ホ）．調湿壁全体としての曲げ強度は、断面二次モーメントの関係から、調湿板の多重並列枚数と同じ数の２乗の値にまで増大させて、格段に強化させる。
（ヘ）．ハニカムコアの各コア室内の空気を各連通孔から流通させることにより、空気と調湿板との接触率を向上させて、空気中の水分の吸収速度を速め、調湿室内で収容物体が搬入されてから充分低湿度に除湿されるに至るまでの除湿進行期間中において、この高湿度空気中の水分による収容物体への結露発生の防止性能を格段に高めて、収容物体が結露水で損傷されることを強力に防止する。
【００１５】
【課題を解決するための手段】
本発明の建物室内空気の呼吸式湿度調整用調湿壁は、上記前提構成において、上記課題を解決するために、例えば図１−図６に示すように、次の特徴構成を追加したことを特徴とする。
【００１６】
図１は本発明の建物室内空気の呼吸式湿度調整用調湿壁の実施形態１を示す。図１（Ａ）はその調湿壁の一部切除正面図。図１（Ｂ）は図１（Ａ）のＢ−Ｂ線断面図。図１（Ｃ）は図１（Ａ）の要部取出し段階的切り欠き正面図。図１(Ｄ)は図１（Ｃ）の斜視図。図１（Ｅ）はハニカムコアの一部取出し斜視図である。
【００１７】
図２は本発明が対象とする建物の室内の調湿室を示す。図２（Ａ）は建物内に調湿室を１室形成した場合の対象例１を示す建物の縦断正面図、図２（Ｂ）は図２（Ａ）のＢ−Ｂ線断面図である。図２（Ｃ）は建物内に調湿室を４室形成した場合の対象例２を示す建物の縦断正面図、図２（Ｄ）は図２（Ｃ）のＤ−Ｄ線断面図である。
【００１８】
図３は本発明の実施形態２を示す、ハニカムコアの一部取出し斜視図である。
図４は本発明の実施形態３を示す、調湿壁の縦断右側面図である。
図５は本発明の実施形態４を示す、調湿壁の縦断右側面図である。
図６は本発明の実施形態５を示す、調湿壁の縦断右側面図である。
【００１９】
○  発明１．  請求項１．  図１、図４、図５、または図６参照．
前述の前提構成において、つぎの特徴構成を追加したことを特徴とする。
複数枚の調湿板(４)…同士を互いに通気用空間(５)を空けてその板厚の方向に多重に並列させる。この通気用空間(５)は通気路(６)を介して調湿室(３)に連通させる。
【００２０】
前記板厚方向に多重に並列する複数枚の調湿板(４)…のうち、前記通気用空間(５)よりも調湿室(３)に近い側に位置する調湿板(４)には複数個の通気孔(７)…を空け、この通気孔(７)…で前記通気路(６)を構成し、この通気孔(７)…は調湿室(３)内の空気が通気用空間(５)に自由に出入りするように構成したものである。
【００２１】
○  発明２．  請求項２．  図１、図４、図５、または図６参照．
この発明２は、次のように構成したことを特徴とする。
建物(１)の室内(２)の調湿室(３)内の空気中の水分を湿度差により吸収・放出する用途に用いるための呼吸式湿度調整用調湿壁であって、その空気中の水分を吸収・放出する機能を有する物質で板状に形成した調湿板(４)を備えて成る、  建物室内空気の呼吸式湿度調整用調湿壁を前提構成とする。
【００２２】
そして、特徴構成として、複数枚の調湿板(４)…同士を互いに通気用空間(５)を空けてその板厚の方向に多重に並列させる。この通気用空間(５)は通気路(６)を介して調湿板(４)の外側空間に連通させる。
【００２３】
前記板厚方向に多重に並列する複数枚の調湿板(４)…のうち、前記通気用空間(５)よりも調湿室(３)に近い側に位置する調湿板(４)には複数個の通気孔(７)…を空け、この通気孔(７)…で前記通気路(６)を構成したものである。
【００２４】
○  発明３．  請求項３．  図１、図３、図４、または図６参照．
この発明３は、上記発明１または２において、次の特徴構成を追加したことを特徴とする。
前記通気用空間(５)にハニカムコア(10)を収容する。このハニカムコア(10)にこれの前後に位置する両調湿板(４)(４)を接当させたものである。
【００２５】
○  発明４．  請求項４．  図１、図４または図６参照．
この発明４は、上記発明３において、次の特徴構成を追加したことを特徴とする。
前記ハニカムコア(10)をこれに接当する両調湿板(４)(４)に接着手段(11)で接着させたものである。
【００２６】
○  発明５．  請求項５．  図１参照．
この発明５は、上記発明３または４において、次の特徴構成を追加したことを特徴とする。
ハニカムコア(10)のコア構成板(12)に連通孔(13)を空ける。この連通孔(13)でハニカムコア(10)の各コア室(14)…のうちの隣り合うコア室(14)(14)同士を連通させたものである。
【００２７】
【発明の効果】
本発明の建物室内空気の呼吸式湿度調整用調湿壁は、つぎの効果を奏する。
○  発明１．  請求項１．  図１、図４、図５、または図６参照．
［  イ．  調湿板(４)…の空気中水分吸収の実効面積を格段に増大させることにより、調湿室(３)内での除湿進行期間中に、高湿度空気中の水分の吸収速度が格段に速くなり、この高湿度空気中の水分による収容物体への結露発生の防止性能が格段に高まり、収容物体が結露水で損傷されることを強力に防止する。  ］
【００２８】
建物(１)の室内(２)の調湿室(３)に室外から収容物体が搬入されたときに、室外の高湿度の空気が調湿室(３)内に流れ込むため、この調湿室(３)内の空気の湿度が高くなる。この空気中の湿度は、時間の経過とともに調湿板(４)に吸収されて、やがては調湿室(３)内が充分低湿度に自動的に調湿される。この調湿室(３)内において、充分低湿度に調湿された後は、前記収容物体は結露しないように保たれて、結露による損傷が防がれる。
【００２９】
調湿室(３)内で、収容物体が搬入されてから充分低湿度に除湿されるに至るまでの除湿進行期間の過渡期において、その除湿進行速度が遅い場合には、空気中の高湿度の水分が収容物体に付着・堆積して結露が生じる。この結露水は、収容物体を濡らして、収容物体に発錆・変質などの損傷を与えることがある。
【００３０】
本発明１では、調湿室(３)内の空気が通気路(６)を通って通気用空間(５)に自由に出入りする。このことから、調湿板(４)が空気中の水分を吸収していく実効面積は、調湿室(３)に直接臨む調湿板(４)の表面の面積だけに止まらず、通気用空間(５)に臨む両調湿板(４)(４)の裏面および表面の面積も余分に加わることになる。
【００３１】
このため、これらの調湿板(４)…の前記の空気中水分吸収の実効面積が格段に増大する。  例えば、２枚の調湿板(４)(４)を２重に並列させた場合には約３倍になり、３枚の調湿板(４)…を３重に並列させた場合には約５倍になる。
これにより、調湿室(３)内で収容物体が搬入されてから充分低湿度に除湿されるに至るまでの除湿進行期間中において、高湿度空気中の水分の吸収速度が格段に速くなり、この高湿度空気中の水分による収容物体への結露発生の防止性能が格段に高まり、収容物体が結露水で損傷されることを強力に防止することができる。
【００３２】
［  ロ．  通気孔(７)…を工場で自動的に空けておくことにより、建物室内(２)で調湿室(３)を作って行くときに、通気路(６)を新たに作り出す手間を省略して、調湿室(３)の施工作業を簡素化・高能率化する。  ］
【００３３】
前記通気路(６)を構成する複数個の通気孔(７)…は、調湿板(４)を工場で製造する段階で、各種の任意な機械などで自動的に、調湿板(４)に簡単に能率よく空けておくことができる。
これにより、建物(１)の室内(２)で調湿板(４)を組み立てて調湿室(３)を作って行くときに、通気路(６)を新たに作り出す手間を省略できる分だけ、調湿室(３)の施工作業を簡素化・高能率化することができる。
【００３４】
○  発明２．  請求項２．  図１、図４、図５、または図６参照．
この発明２は、上記発明１の効果［イ］および効果［ロ］と同じ次の効果を奏する。
［  イ．  調湿板(４)…の空気中水分吸収の実効面積を格段に増大させることにより、調湿室(３)内での除湿進行期間中に、高湿度空気中の水分の吸収速度が格段に速くなり、この高湿度空気中の水分による収容物体への結露発生の防止性能が格段に高まり、収容物体が結露水で損傷されることを強力に防止する。 ］
【００３５】
この発明２は、上記発明１と比べて、前提構成として、建物(１)の室内(２)の調湿室(３)を具体的構成要素から外すとともに、この調湿室(３)への用途を特定するに止めた点で異なるが、特徴構成が同じである。
【００３６】
このため、この発明２の調湿壁を建物(１)の室内(２)の調湿室(３)に使用した場合には、発明１の場合と同様に、調湿室(３)内で収容物体が搬入されてから充分低湿度に除湿されるに至るまでの除湿進行期間中において、高湿度空気中の水分の吸収速度が格段に速くなり、この高湿度空気中の水分による収容物体への結露発生の防止性能が格段に高まり、収容物体が結露水で損傷されることを強力に防止することができる。
【００３７】
［  ロ．  通気孔(７)…を工場で自動的に空けておくことにより、建物室内(２)で調湿室(３)を作って行くときに、通気路(６)を新たに作り出す手間を省略して、調湿室(３)の施工作業を簡素化・高能率化する。  ］
【００３８】
前記通気路(６)を構成する複数個の通気孔(７)…は、調湿板(４)を工場で製造する段階で、各種の任意な機械などで自動的に、調湿板(４)に簡単に能率よく空けておくことができる。
これにより、建物(１)の室内(２)で調湿板(４)を組み立てて調湿室(３)を作って行くときに、通気路(６)を新たに作り出す手間を省略できる分だけ、調湿室(３)の施工作業を簡素化・高能率化することができる。
【００３９】
○  発明３．  請求項３．  図１、図３、図４、または図６参照．
この発明３は、上記発明１または発明２の効果［イ］および効果［ロ］に加えて、つぎの効果を奏する。
［  ニ．  調湿壁全体としての曲げ強度は、調湿板(４)…の多重並列枚数と同じ数の倍数となる大きな値に増大して、大幅に強化される。  ］
【００４０】
板厚方向に多重に並列する複数枚の調湿板(４)…のうちの１枚の調湿板(４)に外力が押し付けられてきたときに、この押圧外力はこの１枚の調湿板(４)と、ハニカムコア(10)を介して次の調湿板(４)との両方で分担して受け止められる。
このため、複数枚の調湿板(４)…から成る調湿壁全体としての曲げ強度は、調湿板(４)…の多重並列枚数と同じ数の倍数の値（例えば、２枚の場合は２倍、３枚の場合は３倍）となる大きな値に増大して、大幅に強化される。
【００４１】
○  発明４．  請求項４．  図１、図４または図６参照．
この発明４は、上記発明１または発明２の効果［イ］および効果［ロ］に加えて、つぎの効果を奏する。
［  ホ．  調湿壁全体としての曲げ強度は、断面二次モーメントの関係から、調湿板(４)…の多重並列枚数と同じ数の２乗の値にまで増大して、格段に強化される。  ］
【００４２】
板厚方向に多重に並列する複数枚の調湿板(４)…はハニカムコア(10)を介して接着手段(11)で一体に結合されているため、これにより形成された調湿壁全体としての曲げ強度は、断面二次モーメントの関係から、調湿板(４)…の多重並列枚数と同じ数の２乗の値（例えば、２枚の場合は４倍、３枚の場合は９倍）となる大きな値にまで増大して、格段に強化される。
【００４３】
○  発明５．  請求項５．  図１参照．
この発明５は、上記発明１または発明２の効果［イ］および効果［ロ］に加えて、つぎの効果を奏する。
［  ヘ．  各コア室(13)…内の空気が各連通孔(12)…から流通する分だけ、空気と調湿板(４)…との接触率が向上して、空気中の水分の吸収速度が速くなり、調湿室(３)内で収容物体が搬入されてから充分低湿度に除湿されるに至るまでの除湿進行期間中において、この高湿度空気中の水分による収容物体への結露発生の防止性能が格段に高まり、収容物体が結露水で損傷されることを強力に防止する。  ］
【００４４】
上記発明３または発明４の場合、ハニカムコア(10)の働きにより、上記効果［ニ］または［ホ］で述べたように、調湿壁全体としての曲げ強度が大幅に増大する点で優れている。
その反面、通気用空間(５)がハニカムコア(10)の各コア構成板(11)で各コア室(13)…に細切れに分断されるため、通気用空間(５)内での空気の流れが悪くなる分だけ、空気と調湿板(４)との接触率が低下して、空気中の水分の吸収速度が遅くなるという問題を含んでいる。
【００４５】
この発明５では、各コア室(13)…内の空気が各連通孔(12)…から隣の各コア室(13)…に自由に流れ込めるから、通気用空間(５)内での空気の流れが良くなる分だけ、空気と調湿板(４)…との接触率が向上して、空気中の水分の吸収速度が速くなる。
【００４６】
これにより、調湿室(３)内で収容物体が搬入されてから充分低湿度に除湿されるに至るまでの除湿進行期間中において、高湿度空気中の水分の吸収速度が格段に速くなり、この高湿度空気中の水分による収容物体への結露発生の防止性能が格段に高まり、収容物体が結露水で損傷されることを強力に防止することができる。
【００４７】
【発明の実施の形態】
以下、本発明の建物室内空気の呼吸式湿度調整用調湿壁の実施の形態を、図面に基づき説明する。
【００４８】
○  実施形態１．  請求項１・２・３・４・５．  図１・図２参照．
図２は本発明が対象とする建物の室内の調湿室を示す。図２（Ａ）は建物内に調湿室を１室形成した場合の対象例１を示す建物の縦断正面図、図２（Ｂ）は図２（Ａ）のＢ−Ｂ線断面図である。図２（Ｃ）は建物内に調湿室を４室形成した場合の対象例２を示す建物の縦断正面図、図２（Ｄ）は図２（Ｃ）のＤ−Ｄ線断面図である。
【００４９】
この図２（Ａ）・（Ｂ）または図２（Ｃ）・（Ｄ）おいて、符号(１)は建物である。この建物(１)は、鉄鋼業・製紙業・繊維業・酒造業・薬品業・印刷業・またはその他の各種製造業において、材料・製品の保管倉庫または加工工場、あるいは、コンサートホール・博物館または美術館である。
【００５０】
この建物(１)の室内(２)の少なくとも一部に調湿室(３)を設ける。図２（Ａ）・（Ｂ）の対象例１では、建物内に調湿室を２室形成した場合を示す。また、図２（Ｃ）・（Ｄ）の対象例２では建物内に調湿室を４室形成した場合を示す。
【００５１】
この調湿室(３)の四囲の側壁(Ａ)と天井壁(Ｂ)と中仕切り壁(Ｃ)とは、調湿板(４)で構成する。この調湿室(３)に調湿板(４)を臨ませて設ける。この調湿板(４)は調湿室(３)内の空気中の水分を湿度差により吸収・放出する呼吸式湿度調整機能を有する調湿物質で板状に形成して成る。この調湿物質とは、ゼオライト、珪藻土、または石膏、或いはこれらの複合物である。
【００５２】
図１は本発明の建物室内空気の呼吸式湿度調整用調湿壁の実施形態１を示す。図１（Ａ）はその調湿壁の一部切除正面図。図１（Ｂ）は図１（Ａ）のＢ−Ｂ線断面図。図１（Ｃ）は図１（Ａ）の要部取出し段階的切り欠き正面図。図１(Ｄ)は図１（Ｃ）の斜視図。図１（Ｅ）はハニカムコアの一部取出し斜視図である。
【００５３】
この図１において、符号(４)は上記調湿板である。３枚の調湿板(４)…同士を互いに通気用空間(５)(５)を空けてその板厚の方向に３重に並列させる。この通気用空間(５)(５)は通気路(６)(６)を介して調湿室(３)に連通させる。
【００５４】
この板厚方向に３重に並列する３枚の調湿板(４)…のうち、前記通気用空間(５)(５)よりも調湿室(３)に近い側に位置する２枚の調湿板(４)(４)には、多数の通気孔(７)…を縦横・多段多列に並列させて空ける。この通気孔(７)…で前記通気路(６)を構成する。この通気孔(７)…は調湿室(３)内の空気が通気用空間(５)に自由に出入りするように構成する。調湿室(３)から最も遠い側に位置する１枚の調湿板(４)には、通気孔(７)…を空けないでおく。
【００５５】
前記各通気用空間(５)(５)にそれぞれハニカムコア(10)(10)を収容する。このハニカムコア(10)(10)にこれの前後に位置する両調湿板(４)(４)を密に接当させる。各ハニカムコア(10)のコア構成板(12)に連通孔(13)を空ける。この連通孔(13)でハニカムコア(10)の各コア室(14)…のうちの隣り合うコア室(14)(14)同士を連通させる。
【００５６】
この各ハニカムコア(10)をこれに接当する両調湿板(４)(４)に接着剤(11)で接着させる。これにより、３枚の調湿板(４)…を両ハニカムコア(10)(10)を介して一体に結合して、単位調湿壁(Ｄ)を形成する。この単位調湿壁(Ｄ)の四囲の端面は、金属製または硬質合成樹脂製の縁取り条材(21)を嵌合して固着する。
【００５７】
図２に示す調湿室(３)の四囲の周壁(Ａ)・天井壁(Ｂ)および中仕切り壁(Ｃ)は、上記単位調湿壁(Ｄ)をその板面方向に沿って、縦横に多段複数列に並列させて組み立てて構成したものである。
なお、図２に示す調湿室(３)の四囲の側壁(Ａ)・天井壁(Ｂ)および中仕切り壁(Ｃ)の３種類の調湿壁のうち、その１種類はたは２種類の調湿壁を省略し、１種類または２種類の調湿壁を残して実施する場合もある。
【００５８】
○  他の実施形態．
次に述べる実施形態２・３・４・５は、上記実施形態１の構成において、その一部を次のように変更したものである。
【００５９】
○  実施形態２．  請求項１・３・４．  図３参照．
この実施形態２は、上記実施形態１の構成において、その一部を次のように変更したものである。
図３は本発明の実施形態２を示す、ハニカムコアの一部取出し斜視図である。
図１（Ｅ）に示す上記実施形態１のハニカムコア(10)では、コア構成板(12)に連通孔(13)を空けている。これに対し、図３に示す本実施形態２のハニカムコア(10)では、コア構成板(12)には連通孔(13)を空けないようにしたものである。
【００６０】
○  実施形態３．  請求項１・２・３・４・５．  図４参照．
この実施形態３は、上記実施形態１の構成において、その一部を次のように変更したものである。
図４は本発明の実施形態３を示す、調湿壁の縦断右側面図である。
【００６１】
図１に示す上記実施形態１では、３枚の調湿板(４)…同士を互いに通気用空間(５)(５)を空けてその板厚の方向に３重に並列させている。これに対して、図４に示す本実施形態３では、２枚の調湿板(４)(４)同士を互いに通気用空間(５)を空けてその板厚の方向に２重に並列させたものである。
【００６２】
○  実施形態４．  請求項１・２．  図５参照．
この実施形態４は、上記実施形態１の構成において、その一部を次のように変更したものである。
図５は本発明の実施形態４を示す、調湿壁の縦断右側面図である。
【００６３】
図１に示す上記実施形態１では、３枚の調湿板(４)…同士間の２つの各通気用空間(５)(５)に、それぞれハニカムコア(10)(10)を収容している。これに対して、図５に示す本実施形態４では、３枚の調湿板(４)…同士間の２つの各通気用空間(５)(５)から、ハニカムコア(10)(10)を省略したものである。
【００６４】
○  実施形態５．  請求項１・２・３・４・５．  図６参照．
この実施形態５は、上記実施形態１の構成において、その一部を次のように変更したものである。
図６は本発明の実施形態５を示す、調湿壁の縦断右側面図である。
【００６５】
図１に示す上記実施形態１では、３枚の調湿板(４)…のうち図１（Ｂ）上の左側の２枚の調湿板(４)(４)のみに通気孔(７)…を空け、残る１枚の調湿板(４)には通気孔(７)…を空けていない。これに対し、図６に示す本実施形態５では、３枚の調湿板(４)…の全てに通気孔(７)…を空けたものである。
【００６６】
○  参考実施形態．  図７参照．
この参考実施形態は、本発明の技術的範囲には含まれないものであり、上記実施形態１の構成において、その一部を次のように変更したものである。
図７（Ａ）は本発明には含まれない参考実施形態を示す、調湿壁の段階的切り欠き正面図、図７（Ｂ）は図７（Ａ）のＢ−Ｂ線断面図である。
【００６７】
３枚の調湿板(４)…同士を互いに通気用空間(５)(５)を空けてその板厚の方向に３重に並列させる。この通気用空間(５)(５)は通気路(６)(６)を介して調湿室(３)に連通させる。
【００６８】
この板厚方向に３重に並列する３枚の調湿板(４)…のうち、前記通気用空間(５)(５)よりも調湿室(３)に近い側に位置する２枚の調湿板(４)(４)においては、それぞれ４枚の調湿板(４)…を互いにその板面方向に沿わせて隙間(９)(９)を空けて並列させる。この調湿板(４)…同士が並列する側縁間の隙間(９)(９)で、前記調湿室(３)と通気用空間(５)(５)とを連通させる通気路(６)(６)を構成したものである。
【００６９】
図中の符号(22)は框であり、各調湿板(４)…を位置決めして固定している。符号(23)は金属製または硬質合成樹脂製の縁取り条材であり、多数の調湿板(４)…から成る単位調湿壁(Ｄ)の四囲の端面に嵌合して固着されている。
【００７０】
なお、図１（Ｅ）または図３に示す前記ハニカムコア(10)は、図７に示す参考実施形態において、前記各通気空間(５)(５)に収容して、両調湿板(４)(４)に接着材(11)で接着するようにしても良い。
【図面の簡単な説明】
【図１】  図１は本発明の建物室内空気の呼吸式湿度調整用調湿壁の実施形態１を示す。図１（Ａ）はその調湿壁の一部切除正面図。図１（Ｂ）は図１（Ａ）のＢ−Ｂ線断面図。図１（Ｃ）は図１（Ａ）の要部取出し段階的切り欠き正面図。図１（Ｄ）は図１（Ｃ）の斜視図。図１（Ｅ）はハニカムコアの一部取出し斜視図。
【図２】  図２は本発明が対象とする建物の室内の調湿室を示す。図２（Ａ）は建物内に調湿室を２室形成した場合の対象例１を示す建物の縦断正面図、図２（Ｂ）は図２（Ａ）のＢ−Ｂ線断面図。図２（Ｃ）は建物内に調湿室を４室形成した場合の対象例２を示す建物の縦断正面図、図２（Ｄ）は図２（Ｃ）のＤ−Ｄ線断面図。
【図３】  本発明の実施形態２を示す、ハニカムコアの一部取出し斜視図。
【図４】  本発明の実施形態３を示す、調湿壁の縦断右側面図。
【図５】  本発明の実施形態４を示す、調湿壁の縦断右側面図。
【図６】  本発明の実施形態５を示す、調湿壁の縦断右側面図。
【図７】  図７（Ａ）は本発明には含まれない参考実施形態を示す、調湿壁の段階的切り欠き正面図。図７（Ｂ）は図７（Ａ）のＢ−Ｂ線断面図。
【図８】  従来技術を示す調湿壁の要部の縦断左側面図。
【符号の説明】
１…建物．  ２…室内．  ３…調湿室．  ４…調湿板．  ５…通気用空間．  ６…通気路．  ７…通気孔．  １０…ハニカムコア．  １１…接着手段．  １２…コア構成板．  １３…連通孔．  １４コア室。
【図１】
0003646082.tif 000002
【図２】
0003646082.tif 000003
【図３】
0003646082.tif 000004
【図４】
0003646082.tif 000005
【図５】
0003646082.tif 000006
【図６】
0003646082.tif 000007
【図７】
0003646082.tif 000008
【図８】
0003646082.tif 000009